(57)【特許請求の範囲】
【請求項１】
着座者の荷重を受ける荷重支持面が形成された張材と、
前記張材の外周端部を支持する枠材と、
前記枠材の一対の縦杆どうしを連結する連結部から延び、前記張材に対して前記荷重支持面に交差する方向に離間して対向する被取付部と、
前記被取付部に対して着脱可能なオプション部材と、を備え、
前記オプション部材は、前記荷重支持面に沿う方向に延びて前記張材と前記被取付部との隙間に挿入され、前記被取付部に固定された取付部を有し、
前記被取付部は、前記枠材から前記荷重支持面に沿って突出していることを特徴とする背凭れ。
【請求項２】
前記枠材は、前記被取付部に対して前記張材に対向する側に、前記取付部を収容する凹部を備えていることを特徴とする請求項１に記載の背凭れ。
【請求項３】
前記オプション部材は、
前記取付部を有した第一部材と、
前記被取付部に対して前記張材から離間した側に配置される第二部材と、
前記第一部材の前記取付部と前記第二部材とで前記被取付部を挟持した状態で、前記第一部材と前記第二部材とを連結する連結部材と、
を備えることを特徴とする請求項１または２に記載の背凭れ。
【請求項４】
前記オプション部材はランバーサポートであることを特徴とする請求項１から３のいずれか一項に記載の背凭れ。
【請求項５】
着座者の荷重を受ける荷重支持面が形成された張材と、前記張材の外周端部を支持する枠材と、前記枠材の一対の縦杆どうしを連結する連結部から延び、前記張材に対して前記荷重支持面に交差する方向に離間して対向する被取付部と、を備える背凭れに対して着脱可能とされ、
前記荷重支持面に沿う方向に延びて前記張材と前記被取付部との隙間に挿入され、前記被取付部に固定されるものであり、前記枠材から前記荷重支持面に沿って突出した取付部と、
前記取付部に支持され、前記張材の後方に配置されるランバーサポート本体と、を備えることを特徴とするランバーサポート。
【請求項６】
床面に設置される支持構造体と、
前記支持構造体に支持された座体と、
前記支持構造体に支持された、請求項１から４のいずれか一項に記載の背凭れと、を備えることを特徴とする椅子。
【発明の詳細な説明】
【技術分野】
【０００１】
本発明は、背凭れ、ランバーサポート、及び椅子に関する。
【背景技術】
【０００２】
特許文献１に記載のように、座面の後部より起立する背凭れ支持フレームの前方に背凭れを備え、この背凭れが、ネット状の張材と、張材の外周部を保持する背枠と、張材の後方に設けられたランバーサポートと、を備えた構成の椅子が知られている。この構成において、ランバーサポートは、背枠の下部から上方に向けて延び、背枠と一体に形成されたランバーサポート支持部に取り付けられている。
【０００３】
このような椅子において、ランバーサポートを、椅子に対して装備するか否かを選択できるオプション部材としようとすると、ランバーサポートを装備しない場合であっても、背枠と一体に設けられたランバーサポート支持部が残ってしまい、外観が損なわれる。
【０００４】
これに対し、例えば特許文献２に示すように、ランバーサポートの幅方向両端部が、左右一対の保持部材を介し、背枠の左右両側に設けられた側枠杆に対して着脱可能に支持された構成の椅子が提案されている。
この構成の椅子においては、各保持部材に設けられた凸部を、側枠杆に形成された凹部に嵌合させることで、ランバーサポートの端部を支持する保持部材を側枠杆に対して着脱可能としている。
【先行技術文献】
【特許文献】
【０００５】
【特許文献１】特許第４１３３０６７号公報
【特許文献２】特許第５８２３８１８号公報
【発明の概要】
【発明が解決しようとする課題】
【０００６】
しかしながら、特許文献２に開示された構成においては、側枠杆に形成された凹部は、側枠杆において前方の張材に対向する側から後方に向かって窪むように形成されている。したがって、保持部材を側枠杆に装着するには、保持部材を張材と側枠杆との隙間に差し込んだ後、保持部材を後方に押すことによって、保持部材の凸部を側枠杆の凹部に嵌合させなければならない。張材と側枠杆との前後方向の隙間は小さいため、このような保持部材を装着する際の作業性は、改善の余地がある。
【０００７】
このような課題は、ランバーサポートに限らず、背凭れに他のオプション部材を装着する場合にも共通する。
本発明は上記実情に鑑みてなされたものであり、ランバーサポート等のオプション部材を背凭れに装着する際の作業性を改善することのできる背凭れ、ランバーサポート、及び椅子を提供することを目的とする。
【課題を解決するための手段】
【０００８】
本発明は、上記課題を解決するため、以下の手段を採用する。
この発明に係る背凭れは、着座者の荷重を受ける荷重支持面が形成された張材と、前記張材の外周端部を支持する枠材と、前記枠材に形成され、前記張材に対して前記荷重支持面に交差する方向に離間して対向する被取付部と、前記被取付部に対して着脱可能なオプション部材と、を備え、前記オプション部材は、前記荷重支持面に沿う方向に延びて前記張材と前記被取付部との隙間に挿入され、前記被取付部に固定された取付部を有していることを特徴とする。
【０００９】
このような構成によれば、張材に対して離間して対向する被取付部を枠材に設け、オプション部材の取付部を張材と被取付部との隙間に挿入して固定するようにした。これにより、オプション部材を枠材に装着するに際しては、オプション部材の取付部を、張材の荷重支持面に沿った方向から張材と被取付部との隙間に挿入すればよく、作業を容易に行うことができる。
【００１０】
また、この発明に係る背凭れは、上記背凭れにおいて、前記被取付部が、前記枠材から前記荷重支持面に沿って突出しているようにしてもよい。
このように構成することで、オプション部材の取付部は、枠材から荷重支持面に沿って突出した被取付部と張材との隙間に挿入されて固定される。これにより、背凭れを、枠材に対して張材と反対側から見たときに、オプション部材の取付部が枠材の被取付部によって覆われ、外観が向上する。
【００１１】
また、この発明に係る背凭れは、上記背凭れにおいて、前記枠材が、前記被取付部に対して前記張材に対向する側に、前記取付部を収容する凹部を備えているようにしてもよい。
このような構成によれば、取付部を凹部に収容することで、オプション部材の取付部が外部に露呈するのを抑え、外観を向上させることができる。
【００１２】
また、この発明に係る背凭れは、上記背凭れにおいて、前記オプション部材が、前記取付部を有した第一部材と、前記被取付部に対して前記張材から離間した側に配置される第二部材と、前記第一部材の前記取付部と前記第二部材とで前記被取付部を挟持した状態で、前記第一部材と前記第二部材とを連結する連結部材と、を備えるようにしてもよい。
このように、第一部材と取付部と第二部材とで被取付部を挟持した状態で、これら第一部材と第二部材とを連結部材で連結することで、枠材の被取付部に対してオプション部材を強固に取り付けることができる。
【００１３】
また、この発明に係る背凭れは、上記背凭れにおいて、前記オプション部材はランバーサポートであるようにしてもよい。
このような構成によれば、背凭れに対してランバーサポートを装着する際には、取付部を、張材の荷重支持面に沿った方向から張材と被取付部との隙間に挿入すればよく、ランバーサポートの装着作業を容易に行うことができる。
【００１４】
また、この発明に係るランバーサポートは、着座者の荷重を受ける荷重支持面が形成された張材と、前記張材の外周端部を支持するとともに、前記張材に対して前記荷重支持面に交差する方向に離間して対向する被取付部を有する枠材と、を備える背凭れに対して着脱可能とされ、前記荷重支持面に沿う方向に延びて前記張材と前記被取付部との隙間に挿入され、前記被取付部に固定される取付部と、前記取付部に支持され、前記張材の後方に配置されるランバーサポート本体と、を備えることを特徴とする。
【００１５】
このように構成することで、背凭れに対してランバーサポートを装着する際には、取付部を、張材の荷重支持面に沿った方向から張材と被取付部との隙間に挿入すればよく、ランバーサポートの装着作業を容易に行うことができる。
【００１６】
この発明に係る椅子は、床面に設置される支持構造体と、前記支持構造体に支持された座体と、前記支持構造体に支持された、上記のいずれかに記載の背凭れと、を備えることを特徴とする。
【００１７】
このような椅子によれば、背凭れに対してランバーサポート等のオプション部材を装着する際には、取付部を、張材の荷重支持面に沿った方向から張材と被取付部との隙間に挿入すればよく、オプション部材の装着作業を容易に行うことができる。
【発明の効果】
【００１８】
この発明に係る背凭れ、ランバーサポート、及び椅子によれば、ランバーサポート等のオプション部材を背凭れに装着する際の作業性を改善することができる。
【図面の簡単な説明】
【００１９】
【図１】本発明の一実施形態に係る椅子を側方から見た斜視図である。
【図２】本発明の一実施形態に係る椅子を後方（背凭れ側）から見た斜視図である。
【図３】背前枠に対するランバーサポートの取付構造を示す斜視断面図である。
【図４】背前枠に装着されるランバーサポートの構成を示す斜視展開図である。
【図５】第一ブラケット及び第二ブラケットを斜め前方から見た斜視図である。
【図６】第二ブラケットを斜め後方から見た斜視図である。
【図７】第二ブラケットをスリットの幅方向の中心に沿って断面視した図である。
【発明を実施するための形態】
【００２０】
以下、本発明の一実施形態に係る椅子について、図面を参照して説明する。
図１は、本発明の一実施形態に係る椅子を側方から見た斜視図である。図２は、本発明の一実施形態に係る椅子を後方（背凭れ側）から見た斜視図である。
【００２１】
この図１及び図２に示すように、椅子１００は、床面Ｆ上に設置される脚部１と、脚部１の上部に設置される不図示のボックス状の支基２と、支基２の上部に取り付けられた座受け部材３と、座受け部材３にスライド可能に支持され着座者が着座する座体４と、支基２から延び座体４に着座した着座者の背中を支持する背凭れ７と、を備えている。
以下の説明において、便宜上、座体４に着座した着座者が前を向く方向を「前方」、その反対方向を「後方」と称する。また、椅子１００が設置される床面Ｆ側とその反対側を結ぶ方向を「上下方向」と称する。また、椅子１００の幅方向、つまり前後方向と直交する水平方向を「幅方向」と称する。また、図中において、前方を矢印ＦＲで示し、上方を矢印ＵＰで示し、左方を矢印ＬＨで示す。
【００２２】
脚部１は、キャスタ１１Ａ付きの多岐脚１１と、多岐脚１１の中央部より起立し昇降機構であるガススプリング（不図示）を内蔵する脚柱１２と、を有している。
【００２３】
脚柱１２の下部を構成する外筒１３は、多岐脚１１に回転不能に嵌合して支持されている。脚柱１２の上部を構成する内筒１４は、上端部に支基２を固定して支持するとともに、下部が外筒１３に水平方向で回転可能に支持されている。
【００２４】
支基２には、脚柱１２の昇降調整機構と背凭れ７の傾動調整機構が内蔵されている。
【００２５】
座受け部材３は、支基２の上部に取り付けられた４本のリンクアーム（不図示。以下同じ。）と、リンクアームどうしを連結する左右一対の固定フレーム（不図示。以下同じ。）と、を有している。
本実施形態では、脚部１、支基２及び座受け部材３が支持構造体３０を構成している。
【００２６】
座体４は、座フレーム４０と、座フレーム４０に張設された座面張材４１と、を有している。座面張材４１の上面は、着座者の荷重を受ける座部荷重支持面４１ｆとされている。
【００２７】
背凭れ７は、背フレーム７０と、背フレーム７０に張設された張材７１と、を有している。張材７１の前面は、着座者の荷重を受ける荷重支持面７１ｆとされている。
【００２８】
背フレーム７０は、支基２に連結され、背フレーム７０の強度を担う強度部材である背後枠７０Ｂと、背後枠７０Ｂの前方に設けられた背前枠（枠材）８０Ｆと、を有している。
【００２９】
背後枠７０Ｂは、下辺部７２と、側辺部７３と、上辺部７４と、を有している。下辺部７２と側辺部７３と上辺部７４とは、例えばアルミ等の金属または所定の強度を有する樹脂等により一体に形成されている。
【００３０】
下辺部７２は、支基２内の傾動調整機構に連結され、支基２の後部の左右両側から延びている。下辺部７２は、上方に向かうにしたがって次第に後方に向かって傾斜されている。また、各下辺部７２には、座体４の側方に配置される肘掛け７５が設けられている。
【００３１】
各下辺部７２の上端部には、側辺部７３が連続して形成されている。各側辺部７３は、上方に向かうにしたがって次第に幅方向の外側に向かって傾斜している。
【００３２】
側辺部７３の下部７３ａは、上方に向かうにしたがって次第に前方に向かって傾斜している。側辺部７３の上部７３ｂは、上方に向かうにしたがって次第に後方に向かって傾斜している。各側辺部７３の上部７３ｂどうしは、上辺部７４で連結されている。
【００３３】
背前枠８０Ｆは、背凭れ７の幅方向に（荷重支持面７１ｆに沿って）離間して配置された一対の縦杆８１と、一対の縦杆８１の上端どうしを連結する上杆８２と、一対の縦杆８１の下端どうしを連結する連結部８３と、を有している。縦杆８１、上杆８２、及び連結部８３は、例えば樹脂等で一体として環状に形成され、張材７１から作用する力に応じて弾性変形可能に構成されている。
【００３４】
図２に示すように、各縦杆８１は、上下方向に沿って延びている。詳細には、縦杆８１は、下方に向かうにしたがって次第に幅方向の内側に向かって傾斜している。
【００３５】
図１に示すように、背前枠８０Ｆの外周縁部には、背凭れ７の内方に向かって凹む溝８４が周方向に連続して形成されている。溝８４に、張材７１の外周端部７１ｅが巻き込まれている。
【００３６】
背前枠８０Ｆの各縦杆８１の上部と下部には、それぞれ、後方に向かって延びる上部連結部８５、下部連結部８６が一体に形成されている。上部連結部８５及び下部連結部８６の先端部は、背後枠７０Ｂの側辺部７３に連結されている。
【００３７】
図１、図２に示すように、このような椅子１００の背凭れ７に対しては、ランバーサポート（オプション部材）２００が着脱自在に装着できるようになっている。
【００３８】
図３は、背前枠に対するランバーサポートの取付構造を示す斜視断面図である。図４は、背前枠に装着されるランバーサポートの構成を示す斜視展開図である。
図３に示すように、ランバーサポート２００は、背前枠８０Ｆの下端部、すなわち連結部８３に装着される。このため、連結部８３は、張材７１から離間する側に、上方に向かうにしたがって次第に前方に向かって延び、背前枠８０Ｆから荷重支持面７１ｆに沿って突出している被取付部８７を有している。この被取付部８７は、張材７１に対して荷重支持面７１ｆに交差する方向に離間して対向する。図４に示すように、被取付部８７において張材７１から離間した側の表面８７ｆは、背前枠８０Ｆの背面８０ｂを形成する。
【００３９】
図３に示すように、連結部８３には、被取付部８７に対して張材７１に対向する側（近接する側）に、背前枠８０Ｆの外周側に向かって窪んだ凹部８８が、背前枠８０Ｆの周方向に連続して形成されている。
【００４０】
さらに、連結部８３は、張材７１に近接する側に、背凭れ７の内周側に向かって延出し、張材７１に当接する縁部８９を有している。前記の凹部８８は、この縁部８９と被取付部８７との間に形成されている。
【００４１】
図３、図４に示すように、ランバーサポート２００は、ランバーサポート本体２１０と、ランバーサポート本体２１０を背凭れ７の背前枠８０Ｆに支持させる第一ブラケット（第一部材）２２０及び第二ブラケット（第二部材）２３０と、これら第一ブラケット２２０及び第二ブラケット２３０を背面側から覆う背面カバー２４０（図４に図示）と、を備えている。
【００４２】
ランバーサポート本体２１０は、背凭れ７の張材７１の後方に沿うように配置される。ランバーサポート本体２１０は、背凭れ７の幅方向中央部に配置されるメインサポート部２１１と、メインサポート部２１１の幅方向両側から幅方向外方に向かってそれぞれ延び、ランバーサポート本体２１０を昇降させる昇降操作部２１２，２１２と、を一体に備えている。なお、ランバーサポート本体２１０の形状や構造については、ここに示すものに限らず、適宜変更することが可能である。
ランバーサポート本体２１０は、メインサポート部２１１から下方に延びるアーム部２１３を一体に備えている。
【００４３】
図５は、第一ブラケット及び第二ブラケットを斜め前方から見た斜視図である。
図３〜図５に示すように、第一ブラケット２２０は、連結部８３に形成された凹部８８内に収容されるベース部２２１と、ベース部２２１の幅方向両側から上方に立ち上がる一対の壁部２２２，２２２と、を一体に備えている。
【００４４】
ベース部２２１は、凹部８８内において、背前枠８０Ｆの周方向に連続して沿うよう、一定長を有して形成されている。このベース部２２１は、凹部８８内に収容された状態で、後方の被取付部８７に前方から突き当たるよう配置され、ランバーサポート２００を背前枠８０Ｆに固定する取付部２２３として機能する。
【００４５】
図５に示すように、一対の壁部２２２，２２２は、幅方向に、ランバーサポート本体２１０のアーム部２１３の幅寸法より大きな間隔をあけて形成されている。これら壁部２２２，２２２は、後方に向かって突出する凸部２２２ｔ，２２２ｔを一体に備えている。
【００４６】
図３に示すように、第二ブラケット２３０は、被取付部８７に対して張材７１から離間した側に配置される。図４、図５に示すように、第二ブラケット２３０は、基部２３１と、基部２３１から上方に向かって延びる延出部２３２と、を一体に備えている。
【００４７】
基部２３１は、背前枠８０Ｆの被取付部８７の表面８７ｆ（背前枠８０Ｆの背面８０ｂ）に沿うよう配置される。この基部２３１と、第一ブラケット２２０のベース部２２１とは、背前枠８０Ｆの被取付部８７を挟んで対向配置される。
【００４８】
図５に示すように、延出部２３２には、第一ブラケット２２０の凸部２２２ｔ，２２２ｔに対向する位置に、係合凹部２３２ｓ，２３２ｓが形成されている。各凸部２２２ｔに各係合凹部２３２ｓを係合させた状態で、第二ブラケット２３０に形成された貫通孔２３２ｈを通して後方から挿通させた左右一対のボルト（連結部材）２３８（図４参照）を第一ブラケット２２０の凸部２２２ｔ，２２２ｔに形成されたネジ穴（図示無し）にねじ込むことで、第一ブラケット２２０と第二ブラケット２３０とが一体に連結される。これにより、第一ブラケット２２０のベース部２２１（取付部２２３）と第二ブラケット２３０の基部２３１とで、背前枠８０Ｆの被取付部８７を挟持している。
【００４９】
図６は、第二ブラケットを斜め後方から見た斜視図である。図７は、第二ブラケットをスリットの幅方向の中心に沿って断面視した図である。
図３、図５、図６に示すように、延出部２３２は、上方に向かって幅方向の寸法が漸次小さくするよう形成されている。延出部２３２には、上下方向に連続するスリット２３３が形成されている。
図３、図５、図７に示すように、スリット２３３の外周部には、前方に突出するガイド壁２３４が形成されている。このスリット２３３の前方には、ランバーサポート本体２１０のアーム部２１３が配置される。
【００５０】
図６、図７に示すように、ガイド壁２３４の後面には、スリット２３３の幅方向両側に、後方に突出するノッチ２３７が形成されている。ノッチ２３７は、上下方向に沿って間隔をあけて複数形成されている。
第二ブラケット２３０の後方には、スライドプレート２３５が配置される。図７に示すように、スライドプレート２３５には、前方に突出し、ノッチ２３７に係合する突起２３５ｔが形成されている。
【００５１】
アーム部２１３とスライドプレート２３５は、延出部２３２を挟んで対向し、スリット２３３を貫通する上下一対のボルト２３９（図４参照）によって互いに連結されている。これにより、アーム部２１３及びスライドプレート２３５は、スリット２３３に沿って上下方向にスライド移動可能となっている。スライドプレート２３５の突起２３５ｔがノッチ２３７に係合することで、アーム部２１３及びスライドプレート２３５は、スリット２３３に沿った複数段階の位置に固定され、これによって、ランバーサポート本体２１０の高さ調整が可能となっている。
【００５２】
上記ランバーサポート２００を背前枠８０Ｆに装着するときには、まず、第一ブラケット２２０を、荷重支持面７１ｆに沿う方向にスライドさせ、取付部２２３を、張材７１と被取付部８７との隙間Ｓ（凹部８８）に挿入する。
次いで、被取付部８７の後方に、第二ブラケット２３０に配し、第一ブラケット２２０と第二ブラケット２３０とを、ボルト２３８で連結する。
【００５３】
この後、第一ブラケット２２０の前方にランバーサポート本体２１０を配するとともに、第二ブラケット２３０の後方にスライドプレート２３５を配し、アーム部２１３とスライドプレート２３５とを、ボルト２３９で連結する。
しかる後、第二ブラケット２３０の後方に、背面カバー２４０を装着する。
これにより、ランバーサポート２００の背前枠８０Ｆへの装着が完了する。
【００５４】
このように構成された椅子１００では、背前枠８０Ｆに、張材７１に対して離間して対向する被取付部８７を設け、ランバーサポート２００の取付部２２３を張材７１と被取付部８７との隙間Ｓに挿入して固定するようにした。これにより、ランバーサポート２００を背前枠８０Ｆに装着するに際しては、ランバーサポート２００の取付部２２３を、張材７１の荷重支持面７１ｆに沿った方向から張材７１と被取付部８７との隙間Ｓに挿入すればよく、作業を容易に行うことができる。したがって、ランバーサポート２００を背凭れ７に装着する際の作業性を改善することができる。
【００５５】
また、被取付部８７は、背前枠８０Ｆから荷重支持面７１ｆに沿って突出している。このように構成することで、ランバーサポート２００の取付部２２３は、背前枠８０Ｆから荷重支持面７１ｆに沿って突出した被取付部８７と張材７１との隙間Ｓに挿入されて固定される。これにより、背凭れ７を、背前枠８０Ｆに対して張材７１と反対側から見たときに、ランバーサポート２００の取付部２２３が背前枠８０Ｆの被取付部８７によって覆われ、外観が向上する。
【００５６】
また、背前枠８０Ｆは、被取付部８７に対して張材７１に対向する側に、取付部２２３を収容する凹部８８を備えている。このような構成によれば、取付部２２３を凹部８８に収容することで、ランバーサポート２００の取付部２２３が外部に露呈するのを抑え、外観を向上させることができる。
【００５７】
また、第一ブラケット２２０と取付部２２３と第二ブラケット２３０とで被取付部８７を挟持した状態で、これら第一ブラケット２２０と第二ブラケット２３０とをボルト２３８で連結することで、背前枠８０Ｆの被取付部８７に対してランバーサポート２００を強固に取り付けることができる。
【００５８】
なお、本発明は、図面を参照して説明した上述の実施形態に限定されるものではなく、その技術的範囲において様々な変形例が考えられる。
例えば、上記実施形態では、被取付部８７を第一ブラケット２２０と第二ブラケット２３０とで挟み込むようにしたが、これに限らない。例えば、ランバーサポート本体２１０を支持するブラケットに、被取付部８７が挿入される溝を設け、この溝に被取付部８７を挿入した状態で、ブラケットと被取付部８７とをボルト等の連結部材で連結するようにしてもよい。
【００５９】
また、背前枠８０Ｆの連結部８３の断面形状は一例に過ぎず、椅子１００のデザインに応じて適宜変更することができる。例えば、被取付部８７は、斜め前方に延出しているが、鉛直上方に延出する等、他の形状としてもよい。
【００６０】
そして、上記実施形態における構成は本発明の一例であり、当該発明の要旨を逸脱しない範囲で種々の変更が可能である。
【符号の説明】
【００６１】
４…座体
７…背凭れ
３０…支持構造体
７１…張材
７１ｅ…外周端部
７１ｆ…荷重支持面
８０Ｆ…背前枠（枠材）
８０ｂ…背面
８３…連結部
８７…被取付部
８８…凹部
１００…椅子
２００…ランバーサポート（オプション部材）
２１０…ランバーサポート本体
２２０…第一ブラケット（第一部材）
２２３…取付部
２３０…第二ブラケット（第二部材）
２３８…ボルト（連結部材）
Ｆ…床面
Ｓ…隙間
【図１】
0006695218.tif 000002
【図２】
0006695218.tif 000003
【図３】
0006695218.tif 000004
【図４】
0006695218.tif 000005
【図５】
0006695218.tif 000006
【図６】
0006695218.tif 000007
【図７】
0006695218.tif 000008